(57)【要約】【課題】ショーケースに搭載の冷凍機の冷媒回路に接続したサクションアキュムレータの設置箇所を見直してコンデンシングユニットの省スペース，排熱性の向上を図り、併せてアキュムレータに結露したドレンを容易に排水処理できるようにする。【解決手段】ケース本体１の庫外ベース部２に冷凍機のコンデンシングユニット３を搭載し、庫内に配したエバポレータ４に冷媒を供給して庫内を保冷する冷凍機内蔵型ショーケースで、コンデンシングユニットの圧縮機とエバポレータとの間の冷媒吸込管路にサクションアキュムレータ１６を接続したものにおいて、該アキュムレータをコンデンシングユニット（従来構造ではアキュムレータをコンデンシングユニットに搭載している）から分離してケース本体の庫内底部に配置し、具体的にはケース本体の舟底部に画成した冷気循環ダクトの内方に配置し、アキュムレータに生じた結露水をドレン排水口１９を通じて排水処理するようにする。【選択図】        図１
2006105535.tif 000002
【特許請求の範囲】
【請求項１】
ケース本体の庫外下部に冷凍機のコンデンシングユニットを搭載し、庫内に配したエバポレータに冷媒を供給して庫内を保冷する冷凍機内蔵型ショーケースであり、コンデンシングユニットの圧縮機とエバポレータとの間の冷媒吸込管路にサクションアキュムレータを接続したものにおいて、
前記サクションアキュムレータをケース本体の庫内に配置したことを特徴とする冷凍機内蔵型ショーケース。
【請求項２】
請求項１記載のショーケースにおいて、サクションアキュムレータを、ケース本体における庫内底部の舟底部分に画成した冷気循環ダクトの内方に配置したことを特徴とする冷凍機内蔵型ショーケース。
【発明の詳細な説明】
【技術分野】
【０００１】
本発明は、冷凍機内蔵型ショーケースに関し、詳しくはショーケースに搭載した冷凍機冷媒回路の構成に係わる。
【背景技術】
【０００２】
まず、本発明の実施対象となる冷凍機内蔵型ショーケースの構成を図３に、またこのショーケースに搭載した冷凍機の冷媒回路，およびコンデンシングユニットの従来構成を図４，図５に示す。
【０００３】
図３において、１は断熱筐体になるケース本体、２はケース本体１の庫外下部に構築したベース部、３はベース部２に搭載した冷凍機のコンデンシングユニット、４はケース本体１の外箱と内箱との間に画成した冷気循環ダクト、５は冷気循環ダクト４に配した冷却器としての冷凍機のエバポレータ、６は庫内ファン、７はケース本体１の庫内に設けた商品陳列棚である。
【０００４】
ここで、庫内側に配したエバポレータ５は図４で示すようにコンデンシングユニット３に接続して冷媒回路を構成しており、ショーケースの運転時にはコンデンシングユニット３から冷媒をエバポレータ５に供給し、前記の冷気循環ダクトに送風する空気を冷却して庫内を保冷することは周知の通りである。
【０００５】
また、図４の冷媒回路において、８はエバポレータ５の入口側に接続した膨張弁、９はドライヤであり、コンデンシングユニット３は圧縮機１０，コンデンサ（空冷式コンデンサ）１１，レシーバタンク（受液器）１２，ストレーナ１３，インジェクション１４，圧力スイッチ１５，およびサクションアキュムレータ１６を図示のように配管接続して構成している。なお、１７は冷媒のチャージポートである。
【０００６】
上記のコンデンシングユニット３は、図５で示すように前記の各種機器，部品および送風ファン１８を基台上にレイアウトした組立構成になり、運転時には周囲から取り込んだ外気を図示矢印のように空冷式のコンデンサ１１，圧縮機１０に送風してコンデンサの凝縮熱，圧縮機の発生熱を系外に除熱するようにしている。
【特許文献１】特開平７−１０３６１５号公報
【発明の開示】
【発明が解決しようとする課題】
【０００７】
前述のように冷凍機内臓型ショーケースでは、冷凍機のコンデンシングユニット３を庫外側のベース部２に搭載配備しており、また従来のコンデンシングユニット３には圧縮機１０への液バックを防ぐ保護手段として圧縮機の吸込側に接続したサクションアキュムレータ１６を標準装備している。
【０００８】
ところで、このサクションアキュムレータ１６は、冷凍機の冷媒封入量，運転条件，負荷変動に対応した内容積（冷媒封入量の５０％以上を収容できる容積）が必要で、かなりの大形サイズとなる。しかも、冷凍機の運転条件によってはエバポレータ５から還流する低温の冷媒温度によりアキュムレータのハウジング周面に結露が生じ、この結露水が滴下してコンデンシングユニットの構成部材を濡らすと発錆の原因となることから、アキュムレータ全体を断熱材で覆って結露を防ぐようにしている。
【０００９】
このために、コンデンシングユニット３に搭載して装備したサクションアキュムレータ１６の占有スペースが大きく、図５のように圧縮機１０の近くに並べて配置した構成ではアキュムレータ１６が通風の障害物となって圧縮機１０，コンデンサ１１に対する排熱性を阻害する。また、サクションアキュムレータ１６は冷媒回路の配管に接続されているために、そのハウジング周面を断熱材で覆っても結露の発生を完全に防ぐことができないといった問題もある。
【００１０】
本発明は上記の点に鑑みなされたものであり、その目的は前記課題を解決し、コンデンシングユニットの省スペース，排熱性向上化に併せて、サクションアキュムレータに結露水が生じた場合でも、この結露水を容易に処理できるようにその配置場所を見直して構成した冷凍機内蔵型ショーケースを提供することにある。
【課題を解決するための手段】
【００１１】
上記目的を達成するために、本発明によれば、ケース本体の庫外下部に冷凍機のコンデンシングユニットを搭載し、庫内に配したエバポレータに冷媒を供給して庫内を保冷する冷凍機内蔵型ショーケースで、コンデンシングユニットの圧縮機とエバポレータとの間の冷媒吸込管路にサクションアキュムレータを接続したものにおいて、
前記サクションアキュムレータをコンデンシングユニットから分離してケース本体の庫内に配置するものとし（請求項１）、その具体的な態様として、サクションアキュムレータをケース本体における庫内底部の舟底部分に画成した冷気循環ダクトの内方に配置する（請求項２）。
【発明の効果】
【００１２】
上記の構成によれば、コンデンシングユニットにはサクションアキュムレータを搭載するスペースが不要となってダウンサイジングが図れるほか、通風の障害物がなくなって圧縮機，コンデンサに対する排熱性も向上する。
【００１３】
また、ショーケースのケース本体は、一般に庫内底部が舟底形に形成されていてここにドレン排水口を開口し、エバポレータの除霜などで庫内側に生じたドレンをケース本体のベース部あるいはコンデンシングユニットに装備したドレンパン（蒸発皿）に流下排出して蒸発処理するようにしている。したがって、ケース本体の庫内側底部にサクションアキュムレータを配置することにより、アキュムレータのハウジング周面に結露が発生した場合でも結露水を前記のドレン排水口から庫外に排出して処理することができ、これにより従来のようにアキュムレータを断熱材で覆うといった結露防止手段も必要なくなるなどの実益が得られる。
【発明を実施するための最良の形態】
【００１４】
以下、本発明の実施の形態を図１，図２に示す実施例に基づいて説明する。なお、図１（ａ）は冷媒回路図、（ｂ）はショーケース下部の構成断面図、図２はコンデンシングユニットの構造を表す上面図であり、図３〜図５に対応する同一部材には同じ符号を付してその説明は省略する。
【００１５】
すなわち、図示実施例においては、エバポレータ５とコンデンシングユニット３に搭載した圧縮機１０との間の吸込配管路に接続したサクションアキュムレータ１６が、ケース本体１の庫内底部に配置されており、詳しくはケース本体１の舟底部の底壁とデッキパン（庫内商品陳列室の底部側に敷設した仕切りパネル）との間に画成した冷気循環ダクトの中に収納して庫内ファン６の前方に配置されている。なお、ケース本体１の舟底部にはドレン排水口１９が開口しており、このドレン排水口１７は排水ホース（図示せず）を介してベース部２，あるいはコンデンシングユニット３に配備したドレンパン（蒸発皿）に連通し、庫内側に生じたドレン（エバポレータ５の除霜水など）を庫外に排出して蒸発処理するようにしている。なお、このサクションアキュムレータ１６には、図５で述べた従来のアキュムレータのようにハウジングを断熱材を覆うことはせずに、裸の状態で配置している。
【００１６】
上記構成のようにサクションアキュムレータ１６を庫内側に移設したことで、図２で示すようにコンデンシングユニット３にはサクションアキュムレータが搭載されなくなるので、その分だけ図５に示した従来構造のコンデンシングユニットと比べて省スペース化が図れるほか、庫外ファン１８の通風路の障害物が減って圧縮機１０，コンデンサ１１の排熱性が向上する。また、冷凍機の運転条件によりサクションアキュムレータ１６の周面に結露が生じた場合でも、その結露水はケース本体１の舟底部からドレン排水口１９を通じて庫外側のドレンパンに排水，処理されるので、コンデンシングユニット３の構造物を濡らしたりするおそれはない。
【図面の簡単な説明】
【００１７】
【図１】本発明の実施例による冷凍機内蔵形ショーケースの構成図で、（ａ）は冷媒回路図、（ｂ）はケース本体下部の構成断面図
【図２】図１におけるコンデンシングユニットの上面図
【図３】従来における冷凍機内蔵型ショーケースの側視断面図
【図４】図３のショーケースに搭載した冷凍機の冷媒回路図
【図５】図３におけるコンデンシングユニットの上面図
【符号の説明】
【００１８】
１    ケース本体
２    ベース部
３    コンデンシングユニット
５    エバポレータ
１０    圧縮機
１６    サクションアキュムレータ
１９    ドレン排水口
【図１】
2006105535.tif 000003
【図２】
2006105535.tif 000004
【図３】
2006105535.tif 000005
【図４】
2006105535.tif 000006
【図５】
2006105535.tif 000007